(57)【要約】【課題】  手間を要することなく、所定エリアをタイムスケジュールにしたがい迅速に目標照度に一定制御できる照明制御システムを提供する。【解決手段】  照明制御システム１は、複数の照明器具２と、検出した照明エリアの照度およびタイムスケジュールにしたがって複数のＩＤ番号から選択されるＩＤ番号を有する制御信号を送信する移動可能な照度センサ装置３と、照度センサ装置３から送信された制御信号を受信する受信装置４と、ＩＤ番号に応じた目標照度を記憶している記憶部３２を有し、受信装置４が受信した制御信号の照度がＩＤ番号に応じた目標照度となるように照明器具２の出力を制御する主制御装置５とを具備している。【選択図】図１
2010080102.tif 000002
【特許請求の範囲】
【請求項１】
複数の照明器具と；
複数のＩＤ番号を有し、前記照明器具によって照明される照明エリアの照度を検出し、この検出した照度およびタイムスケジュールに従って前記複数のＩＤ番号から選択されるＩＤ番号を有する制御信号を送信する移動可能な照度センサ装置と；
この照度センサ装置から送信された前記制御信号を受信する受信装置と；
前記ＩＤ番号に対応付けられた目標照度を記憶している記憶部を有し、この記憶部から前記受信装置が受信した制御信号のＩＤ番号に対応付けられた目標照度を読み出し、前記受信装置が受信した制御信号の前記照度が前記ＩＤ番号に対応付けられた目標照度となるように前記照明器具の出力を制御する主制御装置と；
を具備していることを特徴とする照明制御システム。
【請求項２】
照明器具は、それぞれ前記受信装置を配設し、主制御装置は、前記照度センサ装置から送信された制御信号を受信した前記受信装置を配設する照明器具に対して、当該照明器具の出力を制御することを特徴とする請求項１記載の照明制御システム。
【発明の詳細な説明】
【技術分野】
【０００１】
本発明は、照明エリアを目標照度で照明する照明制御システムに関する。
【背景技術】
【０００２】
机上面や作業面などの所定エリアに設置した照度センサにより、当該所定エリアを作業に最適な目標照度に一定制御する照明制御システムが提案されている（例えば、特許文献１参照。）。この従来技術の照度センサは、光センサにより検出された特定の照明装置の照明エリアの明暗度が目標設定手段により予め設定された目標照度に略一致するように調光制御信号を演算生成し、この調光制御信号をワイヤレス送信部から特定の照明装置にワイヤレス送信するように構成されている。すなわち、照度センサにおいて、光センサにより検出された明暗度が表示部に表示され、その表示された明暗度に基づいて、作業に最適な目標照度を設定している。
【特許文献１】特開２００３−１００４７０号公報（第５頁、第１−３図）
【発明の開示】
【発明が解決しようとする課題】
【０００３】
特許文献１の照度センサは、目標照度を変更する場合、例えばタイムスケジュールによって目標照度を変更する場合には、その都度、目標設定手段により目標照度を設定するので、その作業が煩雑であり、手間を要する結果、作業時間を要するという欠点を有する。
【０００４】
なお、照明装置をタイムスケジュール制御する照明制御システムは、一般的に知られている（例えば特開２００５−１３５８１６号公報）が、全体の照明装置を調光制御するものであり、特定の作業面である所定エリアを照明する特定の照明装置を制御するものでは無かった。
【０００５】
本発明は、手間を要することなく、所定エリアをタイムスケジュールにしたがい迅速に目標照度に一定制御できる照明制御システムを提供することを目的とする。
【課題を解決するための手段】
【０００６】
請求項１に記載の照明制御システムの発明は、複数の照明器具と；複数のＩＤ番号を有し、前記照明器具によって照明される照明エリアの照度を検出し、この検出した照度およびタイムスケジュールに従って前記複数のＩＤ番号から選択されるＩＤ番号を有する制御信号を送信する移動可能な照度センサ装置と；この照度センサ装置から送信された前記制御信号を受信する受信装置と；前記ＩＤ番号に対応付けられた目標照度を記憶している記憶部を有し、この記憶部から前記受信装置が受信した制御信号のＩＤ番号に対応付けられた目標照度を読み出し、前記受信装置が受信した制御信号の前記照度が前記ＩＤ番号に対応付けられた目標照度となるように前記照明器具の出力を制御する主制御装置と；を具備していることを特徴とする。
本発明および以下の発明において、特に言及しない限り、各構成は以下による。
【０００７】
「タイムスケジュールに従って複数のＩＤ番号から選択されるＩＤ番号を有する制御信号」とは、設定された時刻になると、その時刻に対応付けられたＩＤ番号を有する制御信号が送信されることを意味する。
照度センサ装置により検出される照明エリアの照度は、照度計により計測される実際の照度と相関関係を有していればよい。
【０００８】
照度センサ装置から送信される制御信号は、検出した照明エリアの照度およびＩＤ番号の両方を有する信号であってもよく、検出した照明エリアの照度およびＩＤ番号を個別に送信する信号であってもよい。
照度センサ装置は、制御信号を無線または有線のいずれで送信してもよい。
【０００９】
「照明器具の出力」とは、照明器具に配設されている光源の光出力を意味する。光源は、蛍光ランプなどの放電ランプ、発光ダイオード（ＬＥＤ）や有機ＥＬなどである。
【００１０】
主制御装置は、伝送線を介して照明器具および受信装置と接続されている。受信装置は、受信した制御信号を伝送線により主制御装置に送信する。主制御装置は、当該制御信号を解析して、照明制御信号を演算生成し、伝送線を介して照明器具に送信する。
【００１１】
照明器具は、照明制御信号などの制御信号を送受信する送受信部、制御信号を演算処理し、各種制御を行う制御部および光源を点灯させる点灯回路部などから構成される制御端末装置を内部または外部に配設している。また、この制御端末装置は、点灯回路部などが点灯装置として別体に形成されたものであってもよい。
【００１２】
本発明によれば、照度センサ装置から検出した照明エリアの照度およびタイムスケジュールに従って複数のＩＤ番号から選択されるＩＤ番号が送信され、主制御装置は、照明エリアの照度がＩＤ番号に対応付けられた目標照度となるように照明器具の出力を制御するので、照度センサ装置を設置した所定の照明エリアの照度がタイムスケジュールに応じた目標照度に一定制御される。
【００１３】
請求項２に記載の照明制御システムの発明は、請求項１記載の照明制御システムにおいて、照明器具は、それぞれ前記受信装置を配設し、主制御装置は、前記照度センサ装置から送信された制御信号を受信した前記受信装置を配設する照明器具に対して、当該照明器具の出力を制御することを特徴とする。
【００１４】
受信装置は、例えば、照度センサ装置から送信された制御信号を受信し当該制御信号をデータ変換するときに、自身のアドレスまたは自身を配設している照明器具のアドレスを付与して主制御装置に送信するようにすると、主制御装置は、照度センサ装置が設置された所定の照明エリアを照明していて、出力を制御する照明器具を特定することができる。
【００１５】
本発明によれば、主制御装置は、照度センサ装置から送信された制御信号を受信した受信装置を配設する照明器具の出力を制御し、照度センサ装置が設置された所定の照明エリアを目標照度に一定制御するので、所定の照明エリアを形成している照明器具が自動的に特定される。
【発明の効果】
【００１６】
請求項１の発明によれば、照度センサ装置は、タイムスケジュールに従って複数のＩＤ番号から選択されるＩＤ番号を送信し、主制御装置は、照度センサ装置が設置された所定の照明エリアの照度をＩＤ番号に対応付けられた目標照度に一定制御するので、目標照度の設定や変更などの手間を要することが無く、所定の照明エリアをタイムスケジュールにしたがい迅速に目標照度で照明することができ、個人に対応した照度で照明することができる。
【００１７】
請求項２の発明によれば、照度センサ装置から送信された制御信号を受信した受信装置を配設する照明器具の出力が制御されるので、照度センサ装置側において、所定の照明エリアを形成している照明器具を特定するための設定を省略することができ、これにより、省力化を図ることができる。
【発明を実施するための最良の形態】
【００１８】
以下、本発明の一実施の形態について、図面を参照して説明する。
図１ないし図４は、本発明の一実施の形態を示し、図１は照明制御システムの構成を示す概略ブロック図、図２は主制御装置の構成を示す概略ブロック図、図３は照明器具の構成を示す概略ブロック図、図４は照度センサ装置の構成を示す概略ブロック図である。
【００１９】
図１において、照明制御システム１は、照明器具２、照度センサ装置３、受信装置４および主制御装置５を有して構成されている。主制御装置５は、伝送線６により、照明器具２および受信装置４に接続されている。伝送線６は、複極（±２４Ｖ）の時分割多重信号で示されたデータを送受信する伝送線、あるいはイーサネット（登録商標）や電力線通信等を行う回線である。照明器具２は、天井側に複数個が配設されている。照明器具２は、天井に直付けされる直付け器具、天井に埋め込まれる埋込形器具または天井に吊り下げられる吊り下げ形器具などのいずれであってもよい。
【００２０】
照明制御システム１は、主制御装置５から照明制御信号が伝送線６を介して照明器具２に送信され、当該照明制御信号に応じて照明器具２に配設している図示しない照明用ランプが点消灯される。そして、照明用ランプから放射された照明光によって照明される照明エリアの照度は、照度センサ装置３によって検出される。照度センサ装置３は、検出した照度（照度値）を有する制御信号をワイヤレス送信する。また、照度センサ装置３は、複数のＩＤ番号を具備しており、設定された時刻になると、複数のＩＤ番号から当該時刻に対応付けたＩＤ番号を選択し、その選択されたＩＤ番号を有する制御信号をワイヤレス送信するものである。
【００２１】
そして、照度センサ装置３から送信された制御信号は、受信装置４で受信されて、受信装置４から主制御装置５に送信される。主制御装置５は、ＩＤ番号に対応付けられた目標照度を記憶しており、受信した制御信号の照度と、受信した制御信号のＩＤ番号に対応付けられ目標照度とを比較し、当該照度が当該目標照度となる照明制御信号を演算生成し、伝送線６を介して照明器具２に送信する。これにより、照明器具２によって照明され照度センサ装置３が設置されている照明エリアの照度は、目標照度に一定制御される。そして、照度センサ装置３からタイムスケジュールに従って複数のＩＤ番号から選択されたＩＤ番号を有する制御信号が送信されて、照度センサ装置３が設置されている照明エリアの照度がタイムスケジュールに応じて変更されるものである。
【００２２】
照明器具２は、図３に示すように、器具本体７が制御端末装置８を収納し、かつ受信装置４および照明用ランプ９をそれぞれ配設している。器具本体７には、伝送線６の他、制御端末装置８の点灯回路部１５に接続された電源線１０が引き込まれている。照明用ランプ９は、例えば直管形蛍光ランプである。
【００２３】
制御端末装置８は、ユニットに形成されて器具本体７の内部に配設され、伝送線６に接続されているとともに、電源線１０および照明用ランプ９に接続されている。そして、制御端末装置８は、送受信部１１、記憶部１２、制御部１３、点灯制御部１４、点灯回路部１５および電源部１６を有して構成されている。
【００２４】
送受信部１１は、接続端子１７，１７を介して伝送線６に接続され、伝送線６から入力した照明制御信号を制御部１３に送出する。また、照度センサ装置３から送信され、受信装置４の受信素子１８が受信した制御信号を伝送線６に出力して主制御装置５に送信するように形成されている。記憶部１２は、照明器具２のアドレスや各種データなどを記憶している。
【００２５】
制御部１３は、マイコンを有して形成され、伝送線６から送受信部１１を介して照明制御信号が入力される。そして、照明制御信号に応じた調光信号を演算生成し、この調光信号を点灯制御部１４に送出するように形成されている。また、受信装置４の受信素子１８により受信された制御信号をデータ変換し、照明器具２のアドレスを付与して送受信部１１から伝送線６に出力するように形成されている。
【００２６】
点灯制御部１４は、照明用ランプ９が調光信号に応じた調光点灯をするように点灯回路部１５を制御するように形成されている。点灯回路部１５は、接続端子１９，１９を介して電源線１０に接続され、商用交流電源Ｖｓから交流電力を入力する。そして、点灯制御部１４の制御により、入力した交流電力を高周波交流電力に変換し、この高周波交流電力により照明用ランプ９を調光点灯させる。照明用ランプ９は、調光信号に応じた可視光を放射する。
【００２７】
電源部１６は、接続端子１９，１９を介して電源線１０に接続され、商用交流電源Ｖｓからの交流電源を直流電源に変換し、この直流電源を制御部１３などに供給して動作させる。
【００２８】
複数の照明器具２は、主として隣接する照明器具２およびその近辺の照明器具２により、所定の照明エリア（所定エリア）が形成される。そして、所定の照明エリアの机上面や作業面などに照度センサ装置３が設置（載置）される。その設置された照度センサ装置３により、当該所定の照明エリアが設定された目標照度となるように、主として当該所定の照明エリアを照明している照明器具２の出力（照明用ランプ９の電力）が制御されるものである。
【００２９】
受信装置４は、送受信部１１、制御部１３および受信素子１８を有して構成されている。受信素子１８は、例えばフォトダイオードからなり、図示しないフィルターなどを介して照度センサ装置３から送信された制御信号を受信する。この制御信号は、制御部１３の制御により、送受信部１１から伝送線６を介して主制御装置５に送信される。
【００３０】
そして、受信素子１８は、図１に示すように、それぞれの照明器具２の器具本体７の一端側下面に露出するように配設されている。前記所定の照明エリアに設置された照度センサ装置３からワイヤレス送信された制御信号は、前記所定の照明エリアを主として照明している照明器具２に配設されている受信素子１８（受信装置４）に受信され、残余の照明器具２に配設されている受信素子１８（受信装置４）には受信されないものである。
【００３１】
なお、受信装置４は、照明器具２と別体に構成してもよく、この場合、伝送線６に接続し、主制御装置５に照度センサ装置３からワイヤレス送信された制御信号を送信するように構成されればよい。
【００３２】
照度センサ装置３は、移動可能な大きさに形成されているとともに、照明器具２によって照明された所定の照明エリアの照度およびＩＤ番号を有する制御信号を自動的に送信するように形成されている。照度センサ装置３は、図４に示すように、受光部２０、送受信部２１、表示部２２、接続部２３、記憶部２４、時計部２５、オンオフスイッチ部２６、設定表示スイッチ部２７、電源部２８および制御部２９を有して構成されている。
【００３３】
受光部２０は、例えばフォトダイオードを有して形成され、照明器具２に配設されている照明用ランプ９から放射された可視光を受光し、所定の照明エリアの照度を検出する。送受信部２１は、制御部２９の制御により、当該検出した照度およびＩＤ番号を有する制御信号をワイヤレス送信するように形成されている。また、外部からの制御信号や情報信号などを受信し、制御部２９に送出するように形成されている。表示部２２は、制御部２９の制御により、通常、受光部２０が検出している照度を表示し、設定表示スイッチ部２７の操作により、ＩＤ番号などを表示するように形成されている。
【００３４】
接続部２３は、外部の設定器が接続される。設定器により、時刻に対するＩＤ番号の対応付け（設定）が行われる。すなわち、複数のＩＤ番号のタイムスケジュール化が行われる。このタイムスケジュール化は、時刻およびＩＤ番号を表示部２２に表示しながら行う。そして、記憶部２４は、複数のＩＤ番号を記憶するとともに、表１に示すように、時刻に対するＩＤ番号を記憶している。また、照度センサ装置３の識別番号などを記憶している。
【００３５】
【表１】
2010080102.tif 000003
【００３６】
時計部２５は、時刻を計時する。オンオフスイッチ部２６は、照度センサ装置３の例えば側面側に設けられ、電源部２８と制御部２９などとの電気接続を開閉し、照度センサ装置３を動作状態または不動作状態にさせる。設定表示スイッチ部２７は、照度センサ装置３の例えば側面側に設けられ、表示部２２にＩＤ番号やタイムスケジュールなどの設定内容を表示させるときにオンするものである。電源部２８は、乾電池または太陽電池を有して形成され、制御部２９などに直流電源を供給して動作させる。
【００３７】
そして、制御部２９は、マイコンを有して形成され、一定時間ごとに受光部２０が検出した所定の照明エリアの照度（照度値）を有する制御信号を演算生成して送受信部２１からワイヤレス送信させる。また、時計部２５が記憶部２４に記憶されている所定の時刻（例えば８：００）を計時すると、複数のＩＤ番号から当該時刻に対応付けられたＩＤ番号（例えばＩＤ１）を選択し、その選択されたＩＤ番号を有する制御信号を演算生成して送信部２１からワイヤレス送信させるものである。このとき、次の所定の時刻（例えば１２：００）になるまで、一定時間ごとに当該ＩＤ番号（例えばＩＤ１）を有する制御信号をワイヤレス送信させてもよい。さらに、受光部２０が検出した所定の照明エリアの照度および当該ＩＤ番号（例えばＩＤ１）の両方を有する制御信号を演算生成してワイヤレス送信させてもよい。
【００３８】
主制御装置５は、システム全体を統括管理するものであり、図２に示すように、通信部３０、画面入力部３１、記憶部３２、電源部３３および主制御部３４を有して構成されている。通信部３０は、接続端子３５，３５を介して伝送線６に接続され、受信装置４等からの制御信号などが入力され、当該制御信号などを主制御部３４に送出するように形成されている。また、主制御部３４の制御により、照明用ランプ９を点消灯させる照明制御信号などの出力を行うように形成されている。
【００３９】
通信部３０には、一定時間ごとに、照度センサ装置３からワイヤレス送信された所定の照明エリアの照度およびＩＤ番号を有する制御信号が入力され、この制御信号を主制御部３４に入力している。
【００４０】
画面入力部３１は、例えばタッチパネルを備え、ＩＤ番号に対する目標照度を設定入力できるように形成されている。また、各種制御データを入力可能に形成されている。記憶部３２は、照明器具２および受信装置４のそれぞれのアドレス、照度センサ装置３の識別番号や各種データなどを記憶し、表２に示すように、ＩＤ番号およびＩＤ番号に対応付けられた目標照度を記憶している。
【００４１】
【表２】
2010080102.tif 000004
【００４２】
電源部３３は、接続端子３６，３６を介して商用交流電源Ｖｓに接続され、商用交流電源Ｖｓからの交流電源を所定の直流電源に変換するように形成されている。そして、直流電源を主制御部３４などに供給して動作させている。
【００４３】
主制御部３４は、マイコン等で構成され、照明用ランプ９を点消灯させる照明制御信号などを演算生成して通信部３０から送信させるなど、各種の演算処理や制御を行うように形成されている。
【００４４】
そして、主制御部３４は、照度センサ装置３から送信され受信装置４（照明器具２）から出力された所定の照明エリアの照度およびＩＤ番号を有する制御信号が入力されると、記憶部３２からＩＤ番号（例えばＩＤ１）に対応付けられた目標照度（例えば８００ルクス（Ｉｘ））を読み出し、この目標照度と制御信号に付与されている所定の照明エリアの照度とを比較する。
【００４５】
そして、目標照度と所定の照明エリアの照度との差分を演算し、この差分を零とする照明制御信号を演算生成するように形成されている。すなわち、入力される制御信号に付与されている前記照度がＩＤ番号（例えばＩＤ１）に対応付けられた目標照度（８００ｌｘ）となるように調光制御信号を演算生成するように形成されている。そして、演算生成した調光制御信号に、制御する照明器具２のアドレスを付与した後、当該照明制御信号を通信部３０から伝送線６を介して照明器具２に伝送させ、照明器具２の出力（照明用ランプ９の光出力）を制御するものである。
次に、本発明の一実施の形態の作用について述べる。
【００４６】
照明器具２によって照明される照明エリアに照度センサ装置３を移動して設置すると、照度センサ装置３は、その受光部２０により所定の照明エリアの照度を検出し、制御部２９により当該検出した照度を有する制御信号を演算生成する。そして、制御部２９は、当該検出した照度を有する制御信号を送受信部２１からワイヤレス送信する。
【００４７】
また、制御部２９は、タイムスケジュールに従って複数のＩＤ番号から選択されるタイムスケジュール化されたＩＤ番号を有する制御信号を演算生成して、送受信部２１からワイヤレス送信する。すなわち、表１に示すように、８時（８：００）から１２時（１２：００）の期間には、ＩＤ１のＩＤ番号、１２時（１２：００）から１３時（１３：００）の期間には、ＩＤ２のＩＤ番号、１３時（１３：００）から１７時（１７：００）の期間には、ＩＤ１のＩＤ番号、１７時（１７：００）になるとＩＤ３のＩＤ番号をそれぞれ有する制御信号をワイヤレス送信する。
【００４８】
制御部２９は、検出した照度を有する制御信号およびＩＤ番号を有する制御信号をそれぞれ個別にワイヤレス送信させてもよく、検出した照度およびＩＤ番号の両方を有する制御信号を演算生成してワイヤレス送信してもよい。ここでは、後者の制御信号を送信させることにする。
【００４９】
照度センサ装置３からワイヤレス送信された制御信号は、受信装置４の受信素子１８で受信され、制御部１３によりデータ変換されるとともに、照明器具２のアドレスが付与される。ここで、受信装置４のアドレスを付与してもよいが、受信装置４は、照明器具２にそれぞれ配設されているので、照明器具２のアドレスを付与するのが好適である。そして、アドレスが付与された当該制御信号は、送受信部１１から伝送線６を介して主制御装置５に伝送される。
【００５０】
主制御装置５は、その通信部３０が伝送線６から前記制御信号を入力して主制御部３４に送出する。主制御部３４は、記憶部３２から制御信号のＩＤ番号に対応付けられた目標照度を読み出す。すなわち、表２に示すように、ＩＤ番号がＩＤ１であると８００（ｌｘ）、ＩＤ２であると３００（ｌｘ）、ＩＤ３であると１００（ｌｘ）が読み出される。
【００５１】
そして、主制御部３４は、読み出した目標照度と制御信号の照度との差分を演算し、この差分を零とする照明制御信号を演算生成するとともに、制御信号に付与されている照明器具２のアドレスを付与する。当該照明制御信号を通信部３０から伝送線６に送信する。
【００５２】
照明器具２の送受信部１１は、伝送線６から前記照明制御信号を入力する。そして、制御部１３は、照明制御信号に付与されているアドレスと自身の照明器具２のアドレスと一致すると、照明制御信号を入力する。すなわち、照明制御信号は、それに付与されているアドレスの照明器具２に伝送されて入力される。
【００５３】
制御部１３は、照明制御信号に応じた調光信号を演算生成して、点灯制御部１４に送出する。点灯制御部１４は、調光信号に応じて点灯回路部１５を制御する。照明用ランプ９は、調光信号に応じた可視光（照明光）を放射する。これにより、照明器具２によって照明される所定の照明エリアの照度がＩＤ番号に対応付けられた目標照度に一定制御される。すなわち、所定の照明エリアは、照度センサ装置３から送信されている制御信号のＩＤ番号がＩＤ１である８時（８：００）から１２時（１２：００）の期間は、８００（ｌｘ）の照度で照明され、制御信号のＩＤ番号がＩＤ２である１２時（１２：００）から１３時（１３：００）の期間は、３００（ｌｘ）の照度で照明され、制御信号のＩＤ番号がＩＤ１である１３時（１３：００）から１７時（１７：００）の期間は、８００（ｌｘ）の照度で照明され、制御信号のＩＤ番号がＩＤ３となる１７時（１７：００）には、１００（ｌｘ）の照度で照明されるようになる。
【００５４】
上述したように、照明器具２によって照明される所定の照明エリアに照度センサ装置３を移動して設置することができ、この照度センサ装置３は、タイムスケジュール化されたＩＤ番号を一定時間ごとに自動的に送信し、主制御装置５は、照度センサ装置３が設置された所定の照明エリアの照度をＩＤ番号に対応付けられた目標照度に一定制御するので、目標照度を設定する手間を要することが無く、所定の照明エリアをタイムスケジュールにしたがい迅速に目標照度で照明することができるとともに、個人に対応した目標照度で照明することができる。
【００５５】
また、照度センサ装置３が設置された所定の照明エリアを照明している照明器具２は、照明器具２に配設している受信装置４が照度センサ装置３から送信された制御信号を受信したときに当該制御信号に照明器具２のアドレスを付与することにより特定され、その特定された照明器具２の出力が主制御装置５により制御されているので、照度センサ装置３側において、所定の照明エリアを形成している照明器具２のアドレス設定などの当該照明器具２を特定するための作業を省略することができ、これにより、省力化を図ることができる。
【００５６】
なお、照度センサ装置３が設置された所定の照明エリアを照明している照明器具２を特定するために、照明器具２と照度センサ装置３との間で可視光通信を行うように構成してもよい。すなわち、照明用ランプ９から放射される可視光（照明光）に照明器具２のアドレスを付与した可視光通信データを重畳させる。この可視光通信データを受光部２０で検出した照度センサ装置３は、その制御部２９で可視光通信データを解析して、照明器具２のアドレスを入手する。そして、制御信号に当該照明器具２のアドレスを付与して送信するようにする。これにより、主制御装置５の主制御部３４は、照明制御信号に、出力を制御するものであって所定の照明エリアを照明している照明器具２のアドレスを付与することができる。
【００５７】
また、照度センサ装置３が複数個であり、所定の照明エリアに２個以上の照度センサ装置３が移動され設置される場合には、照度センサ装置３から送信される制御信号に照度センサ装置３を特定するための識別番号を付与する。そして、主制御装置５の主制御部３４は、前もって優先付けしている識別番号を有する照度センサ装置３に対して、その照度センサ装置３から送信された制御信号に応じた制御を行うようにするとよいものである。識別番号の優先順位は、前もって画面入力部３１で設定し、記憶部３２に記憶させておくとよい。
【図面の簡単な説明】
【００５８】
【図１】本発明の一実施の形態を示す照明制御システムの構成の概略ブロック図。
【図２】同じく、主制御装置の構成を示す概略ブロック図。
【図３】同じく、照明器具の構成を示す概略ブロック図。
【図４】同じく、照度センサ装置の構成を示す概略ブロック図。
【符号の説明】
【００５９】
１…照明制御システム
２…照明器具
３…照度センサ装置
４…受信装置
５…主制御装置
３２…記憶部
【図１】
2010080102.tif 000005
【図２】
2010080102.tif 000006
【図３】
2010080102.tif 000007
【図４】
2010080102.tif 000008